Podtech/llm-jp-corpus-v4-ja_patent huggingface dataset:
(57)【要約】【課題】本発明は、ウェブページ上における表示広告の手法にて、ウェブページを閲覧するユーザーの興味にあった広告配信が行え、且つ配信対象となるオーディエンスの数を十分に引き上げることを課題とする。【解決手段】図１に示したように、本発明では、特定したオーディエンス群と、ウェブページの閲覧傾向が似たようなオーディエンスを特定し、そのオーディエンスに対しても広告配信を行う。【選択図】図１
2012094097.tif 000002
【特許請求の範囲】
【請求項１】
ウェブページを閲覧するユーザーの中で、ある属性を持つオーディエンス群に対し、類似するオーディエンスを特定し、広告表示を行うインターネット広告
【請求項２】
特定オーディエンス群と、ウェブページ閲覧履歴が似通ったオーディエンスを特定し、広告配信する請求項１記載のインターネット広告
【発明の詳細な説明】
【技術分野】
【０００１】  この発明は、インターネット広告技術に関する。
【背景技術】
【０００２】  これまで、ウェブページ上でインターネットユーザーの興味にあった広告配信するため、広告主のウェブサイトに訪問したユーザーに再度訴求を行うリターゲティング広告と呼ばれる配信手法が一般的であった。
【発明の開示】
【発明が解決しようとする課題】
【０００３】  しかしながら、以上の従来技術によれば、特定できたオーディエンスの数が、訴求したい規模数に満たないことが多く、広告としての効果は高いが、訴求範囲が限られる課題があった。
そこでこの発明は、ウェブページ上における表示広告の手法にて、ウェブページを閲覧するユーザーの興味にあった広告配信が行え、且つ配信対象となるオーディエンスの数を十分に引き上げることを課題とする。
【課題を解決するための手段】
【０００４】  以上の課題を解決するために、本発明では、特定したオーディエンス群と、ウェブページの閲覧傾向が似たようなオーディエンスを特定し、そのオーディエンスに対しても広告配信を行う。
【発明の効果】
【０００５】  本発明によれば、特定したオーディエンスと同じようなウェブ閲覧をしているオーディエンスであるなら、どちらも同様の趣味嗜好を持ったオーディエンスである可能性が高いことから、高い広告効果が期待できる上、配信対象となるオーディエンスを効果的に増やすことができる。
【発明を実施するための最良の形態】
【０００６】  この発明の一実施形態を、図１に示す。
オーディエンス（１ａ）が、ウェブページ（１ｂ）を閲覧した際、ウェブページに貼り付けた広告（１ｅ）から、広告配信サーバー（１ｃ）に、オーディエンス（１ａ）とウェブページ（１ｂ）の関連情報を記録する。その後オーディエンス（１ｄ）がウェブページ（１ｂ）を閲覧した際、広告配信サーバー（１ｃ）に記録した、オーディエンス（１ａ）とウェブページ（１ｂ）の関連情報から、オーディエンス（１ｄ）に対しては、オーディエンス（１ａ）と同様の興味関心を持っていると判断して、最適な広告（１ｅ）を表示する。【０００７】「実施形態の効果」
この実施形態によれば、属性の特定できなかったオーディエンス（１ｄ）に対しても、ウェブページ閲覧履歴をもちいてオーディエンス（１ａ）と同様の広告を配信できた。興味関心の近いオーディエンスに対して、効果的に広告の配信量を増やすことができた。【０００８】「他の実施形態」
図１では、もっとも単純な単一のウェブページを使ったオーディエンスの拡張方式であったが、複数のウェブページ閲覧履歴を組み合わせたり、条件に時間、時刻の制限を設けることで、より拡張させたオーディエンスの品質を上げることができる。
【図面の簡単な説明】
【０００９】
【図１】この発明の一実施形態を示す図である。
【符号の説明】１ａ  属性がすでに特定されたオーディエンス
１ｂ  広告が掲載されたウェブページ
１ｃ  ウェブページに広告を配信するサーバー
１ｄ  属性が不明なオーディエンス
１ｅ  ウェブページに掲載された広告
【図１】
2012094097.tif 000003
(57)【要約】      （修正有）【課題】変化する直方体の部品を簡単に作成できるようにする。【解決手段】直角２等辺三角柱と回転軸とを合体させた２つの部品、立方体と回転軸とを合体させた２つの部品の、４つの部品を用いる。【選択図】図１
2012094094.tif 000002
【特許請求の範囲】
【請求項１】
変化する直方体を作成する際、図１、図２、図３、図４で示す４つの部品で簡単に大きさの違う変化する直方体を作成できるように連結回転軸の取り付け位置が図で示されたように正方形及び長方形の面の対角線の交点あること。
【請求項２】
連結回転軸の軸と取り付け面が垂直の角度であること。
【請求項３】
雄雌の連結回転軸の個数が図１、図２、図３、図４で示された個数であること。
【発明の詳細な説明】
【技術分野】
【０００１】
【背景技術】
【０００２】
【先行技術文献】
【０００３】
【非特許文献】
【０００４】
【発明の概要】
【発明が解決しようとする課題】
【０００５】  変化する直方体を作成する際に直角２等辺三角柱を回転軸（ビス等）で連結して作成していたが、軸自体を直角２等辺三角柱につけることにより大きさに違う変化する直方体を簡単に作成することができる。
【課題を解決するための手段】
【０００６】  直角２等辺三角柱に雄雌の回転軸をつけることで簡単に大きさの違う連結された直方体が作成できる。
【図面の簡単な説明】
【０００７】
【図１】  直角２等辺三角柱の底面を正方形とし三角形を側面する図形。
【図２】  直角２等辺三角柱の上面を正方形とし三角形を側面する図形。
【図３】  立方体の側面で上に雄の連結回転軸が付いた図形。
【図４】  立方体の側面で下に雌の連結回転軸が付いた図形。
【図５】  連結回転軸の側面図形。雌の連結回転軸は凹んだ部分を表している。
【符号の説明】
【０００８】図１の１は直角２等辺三角柱の長方形の面の対角線の交点に付けた雄の連結回転軸。
図１の２は直角２等辺三角柱の底面側の正方形の面の対角線の交点に付けた雌の連結回転軸。
図２の３は直角２等辺三角柱の上面側の正方形の面の対角線の交点に付けた雄の連結回転軸。
図２の４は直角２等辺三角柱の長方形の面の対角線の交点に付けた雌の連結回転軸。
図３の５は立方体の上面の正方形の面の対角線の交点に付けた雄の連結回転軸。
図４の６は立方体の底面の正方形の面の対角線の交点に付けた雌の連結回転軸。
図５の７は円錐形。
図５の８は円柱形。
【図１】
2012094094.tif 000003
【図２】
2012094094.tif 000004
【図３】
2012094094.tif 000005
【図４】
2012094094.tif 000006
【図５】
2012094094.tif 000007
(57)【要約】      （修正有）【課題】簡易な構造で、かつ、エネルギーを使用せずにドアミラー表面の水滴を除去する。【解決手段】ドアミラーの裏面側（車両前方側）に車両の走行により空気９を取り入れる空気取り入れ口３を設け、空気を誘導する仕切り４と仕切りに設けた雨水誘導堤５により取り入れた空気から雨滴１０を分離し、雨滴を取り除いた空気をミラー表面８に吹き付けるように空気吹き出し口７をも設けると共に、分離した雨滴を排出する排出口を設ける。【選択図】図２
2012201359.tif 000002
【特許請求の範囲】
【請求項１】
車両の走行により空気を取り入れる開口部、空気とともに取り入れた雨水を分離する構造、その雨水を排出する構造及び雨水を取り除いた空気をミラー表面に吹き付ける構造を有するドアミラー。
【発明の詳細な説明】
【技術分野】
【０００１】  この発明は、車両の走行によって受ける風をドアミラーの表面に誘導して吹きつけ、ドアミラーの表面に付着した水滴を速やかに蒸発させることができるドアミラーに関する。
【背景技術】
【０００２】  従来、ドアミラーのくもりを除去する方法としてドアミラー表面に給水するものが考案されている。（例えば、特許文献１参照。）
また、ドアミラーをヒーターで加熱するものが考案されている。（例えば、特許文献２参照。）
また、ドア本体内の送風機からの風を吹きつけるものが考案されている。（例えば、特許文献３参照。）
【先行技術文献】
【特許文献】
【０００３】
【特許文献１】特開２００５−２３１６１１号公報
【特許文献２】特開平７−６９１７９号公報
【特許文献３】特開２０００−５２９４０号公報
【発明の概要】
【発明が解決しようとする課題】
【０００４】  従来の方法は、ドアミラーの水滴の除去のために、給水装置、ヒーター又は送風機を使用しており、構造が複雑となる上、作動させるためのエネルギーを必要とする。【０００５】  本発明は、簡易な構造で、かつ、エネルギーを使用せずにドアミラー表面の水滴を除去できるドアミラーを実現することを目的としている。
【課題を解決するための手段】
【０００６】  本発明のドアミラーは、車両の走行により空気を取り入れる開口部、空気とともに取り入れた雨水を分離する構造、その雨水を排出する構造及び雨水を取り除いた空気をミラー表面に吹き付ける構造を有する構成とした。
【発明の効果】
【０００７】  本発明のドアミラーは、簡易な構造で、かつ、エネルギーを使用せずにドアミラー表面の水滴を除去することができる。
【図面の簡単な説明】
【０００８】
【図１】本発明のドアミラーの正面図である。
【図２】図１におけるＡ−Ａ線断面図である。
【発明を実施するための形態】
【０００９】  以下、本発明の実施の形態を図１、図２に基づいて説明する。
【００１０】  走行中の車両は、前面から風を受けるが、ドアミラーも同様に前面から風を受ける。空気取り入れ口３の前方から来る空気は、ドアミラー２の中に入り、空気誘導仕切り４に誘導され、空気吹き出し口７からミラー８の表面に向けて吹き出し、その水滴を除去する。
【００１１】  降雨時には、空気とともに雨滴が空気取り入れ口３からドアミラー２の中に入るが、雨滴は重いので慣性力により空気取り入れ口３の正面の空気誘導仕切り４に付着する。空気誘導仕切り４に付着した雨滴は、雨水誘導堤５に沿って流れ、雨水排出口６からミラー２の外に排出される。
【符号の説明】
【００１２】  １    ドアミラーベース
２    ドアミラー
３    空気取り入れ口
４    空気誘導仕切り
５    雨水誘導堤
６    雨水排出口
７    空気吹き出し口
８    ミラー
９    空気の流れ
１０  雨滴
【図１】
2012201359.tif 000003
【図２】
2012201359.tif 000004
(57)【要約】【課題】シャフトの根元部に負荷が作用した場合でも、これを分散させて破損するのを回避することができる合成樹脂製のシャフトを備えた車両用ドアミラーの提供を図る。【解決手段】ドアミラーユニット３に外力が作用してシャフト２に倒れ方向にモーメントが発生すると、シャフト２の根元部に負荷が集中する傾向となるが、根元部に設けた金属製の補強部材４によってシャフト２に作用する倒れ荷重を、シャフト部２Ｂの上端側およびホルダー部２Ａの面方向に分散して、シャフト部２Ｂの根元部の応力集中による破損を回避する。【選択図】図１
2012201199.tif 000002
【特許請求の範囲】
【請求項１】
ドアサイドに固定されるドアミラーベース部材に立設固定した合成樹脂製のシャフトに、ドアミラーユニットを折り畳み格納位置と、展開使用位置とに回動可能に組付けた車両用ドアミラーであって、
前記シャフトは、前記ドアミラーベース部材に固定するホルダー部と、該ホルダー部と一体成形したシャフト部と、を備え、
前記シャフト部の根元部には、前記ホルダー部に亘って補強部材を備えていることを特徴とする車両用ドアミラー。
【請求項２】
前記補強部材が、金属製または高強度の合成樹脂製であることを特徴とする請求項１に記載の車両用ドアミラー。
【発明の詳細な説明】
【技術分野】
【０００１】
本発明は、車両用ドアミラーに関する。
【背景技術】
【０００２】
特許文献１には、合成樹脂製のシャフトに対して、ドアミラーユニットを折り畳み格納位置と、展開使用位置とに回動可能に組付けた車両用ドアミラーが開示されている。
【先行技術文献】
【特許文献】
【０００３】
【特許文献１】特開２００７−３８８９８号公報
【発明の概要】
【発明が解決しようとする課題】
【０００４】
特許文献１の開示技術では、シャフトはサイドドア側のドアミラーベース部材に立設固定されるが、特に展開使用位置でドアミラーユニットに外力が作用した場合などでは、合成樹脂製のシャフトに倒れ方向にモーメントが発生すると、該シャフトの根元部に負荷が集中して破損する可能性がある。
【０００５】
そこで、本発明はシャフトの根元部に負荷が作用した場合でも、これを分散させて破損するのを回避することができる合成樹脂製のシャフトを備えた車両用ドアミラーを提供するものである。
【課題を解決するための手段】
【０００６】
本発明は、ドアサイドに固定されるドアミラーベース部材に立設固定した合成樹脂製のシャフトに、ドアミラーユニットを折り畳み格納位置と、展開使用位置とに回動可能に組付けた車両用ドアミラーであって、前記シャフトは、前記ドアミラーベース部材に固定するホルダー部と、該ホルダー部と一体成形したシャフト部と、を備え、前記シャフト部の根元部には、前記ホルダー部に亘って補強部材を備えていることを主要な特徴としている。
【発明の効果】
【０００７】
本発明によれば、シャフト部に倒れ方向にモーメントが発生すると、該シャフト部の根元部に負荷が集中する傾向となるが、この負荷は補強部材によってシャフト部の上端側およびホルダー部の面方向に分散される。この結果、シャフト部の根元部の応力集中による破損を回避することができる。
【図面の簡単な説明】
【０００８】
【図１】本発明の一実施形態を示す略示的断面説明図。
【図２】図１に示したシャフトを下側から見た斜視図。
【図３】補強部材の配設構造の異なる例を示す断面図。
【発明を実施するための形態】
【０００９】
以下、本発明の一実施形態を図面と共に詳述する。
【００１０】
図１に示す実施形態の車両用ドアミラーは、図外のドアサイド部に固定したドアミラーベース部材１と、該ドアミラーベース部材１上に立設固定したシャフト２と、該シャフト２に組付けたドアミラーユニット３と、を備えている。
【００１１】
ドアミラーユニット３は、シャフト２に対して、ミラー面がドアサイドに向く折り畳み格納位置と、該折り畳み格納位置からほぼ９０°位相を変えてミラー面が車両後方を向く展開使用位置と、に回動可能に組付けてある。
【００１２】
図１に鎖線で示すドアミラーユニット３は、折り畳み格納位置から展開使用位置へ回動した状態を示している。
【００１３】
ドアミラーユニット３が電動ミラーの場合、ドアミラーハウジングに内蔵した駆動機構とシャフト２とがクラッチ機構を介して接続される。また、手動ミラーの場合は、ドアミラーユニット３が回転節度機構を介してシャフト２に接続される。
【００１４】
シャフト２は、適宜の合成樹脂材をもって射出成形されている。
【００１５】
このシャフト２は、図２にも示すようにディスク状のホルダー部２Ａと、該ホルダー部２Ａと一体成形した円筒状のシャフト部２Ｂとを備えていて、このホルダー部２Ａをドアサイド部から側方に張り出したドアミラーベース部材１の上面に結合固定してある。
【００１６】
シャフト２のシャフト部２Ｂの根元部には、ホルダー部２Ａに亘って補強部材４を設けてある。補強部材４は、金属製または高強度の合成樹脂製のものを選択的に使用可能である。
【００１７】
図１に示す例では、補強部材４は、例えば鋼板材をもって一端にフランジを有する円筒スリーブとしてプレス成形され、該フランジを下側としてホルダー部２Ａとシャフト部２Ｂの下端部内周に一体にインサートして射出成形してある。また、この他、この補強部材４は図３に示すように、ホルダー部２Ａの下面側からシャフト部２Ｂの筒状下端部内に圧入固定するようにしてもよい。
【００１８】
以上の構成からなる本実施形態の車両用ドアミラーによれば、特に展開使用位置でドアミラーユニット３に外力が作用した場合などでは、シャフト２に倒れ方向にモーメントが発生すると、該シャフト２の根元部に負荷が集中する傾向となる。
【００１９】
このとき、シャフト２に作用する倒れ荷重は金属製の補強部材４によって、シャフト部２Ｂの上端側およびホルダー部２Ａの面方向に分散される。この結果、シャフト部２Ｂの根元部の応力集中による破損を回避することができて、品質感および信頼性を高めることができる。
【００２０】
なお、前記実施形態では補強部材４を、一端にフランジを有する円筒スリーブとして形成したものを用いているが、フランジの無い単純円筒形のものであってもよい。
【００２１】
また、シャフト２は射出成形して得られるため、補強部材４をホルダー部２Ａとシャフト部２Ｂとの連設部分で肉厚内にインサートして配設することも可能である。
【符号の説明】
【００２２】
１…ドアミラーベース
２…シャフト
２Ａ…ホルダー部
２Ｂ…シャフト部
３…ドアミラーユニット
４…補強部材
【図１】
2012201199.tif 000003
【図２】
2012201199.tif 000004
【図３】
2012201199.tif 000005
(57)【要約】【課題】人やペットが生命の危機に関わる可能性がある状態であるか否かを監視する装置を提供する。【解決手段】赤外線の変化量を検知するセンサから検出した変化量に変化があった場合人やペットが存在すると判断し、赤外線の量を検知するセンサから検出した赤外線の量が所定の値以下になるまで当該の人やペットが存在し続けると判断し経過時間を監視し、経過時間が所定の時間を超えた時に当該の人やペットが生命の危機に関わる可能性がある状態であると判断し、更に人やペットが存在すると判断している間二酸化炭素濃度を検知するセンサからの二酸化炭素濃度を監視し、二酸化炭素濃度が所定の濃度以下になった時に当該の人やペットが生命の危機に関わる可能性がある状態であると判断することを特徴とする装置である。【選択図】図１
2012073989.tif 000002
【特許請求の範囲】
【請求項１】
赤外線の変化量を検知するセンサから検出した変化量に変化があった場合人やペットが存在すると判断し、赤外線の量を検知するセンサから検出した赤外線の量が所定の値以下になるまで経過時間を監視し、経過時間が所定の時間を超えた時に当該の人やペットが生命の危機に関わる可能性がある状態であると判断することを特徴とする装置。
【請求項２】
請求項１記載において、人やペットが存在すると判断している間、二酸化炭素濃度を検知するセンサからの二酸化炭素濃度を監視し、二酸化炭素濃度が所定の濃度以下になった時に当該の人やペットが生命の危機に関わる可能性がある状態であると判断することを特徴とする装置。
【発明の詳細な説明】
【技術分野】
【０００１】  本発明は、人やペットが生命の危機に関わる可能性がある状態であるか否かを監視する装置に関するものである。
【背景技術】
【０００２】  従来、人やペットの状態を監視する装置は存在していた。
【発明の概要】
【発明が解決しようとする課題】
【０００３】  解決しようとする問題点は以下の通りである。
（イ）人やペットに対して非接触による方法で、生命の危機に関わる可能性がある状態であるか否かを判断することが困難である。
（ロ）人やペットに対して１つのセンサによる方法では、生命の危機に関わる可能性がある状態であるか否かを判断することが困難である。
（ハ）人やペットが生命の危機に関わる可能性がある状態であるか否かを判断するのに時間を要する。
（ニ）人やペットが生命の危機に関わる可能性がある状態であるか否かの判断の精度が低い。
本発明は、これらの問題点を解決するためになされたものである。
【課題を解決するための手段】
【０００４】  赤外線の変化量を検知するセンサから検出した変化量に変化があった場合人やペットが存在すると判断し、赤外線の量を検知するセンサから検出した赤外線の量が所定の値以下になるまで当該の人やペットが存在し続けると判断し経過時間を監視し、経過時間が所定の時間を超えた時に当該の人やペットが生命の危機に関わる可能性がある状態であると判断することを特徴とする装置である。【０００５】  更に前記の赤外線の変化量を検知するセンサと赤外線の量を検知するセンサからの検出値から人やペットが存在すると判断している間、二酸化炭素濃度を検知するセンサからの二酸化炭素濃度を監視し、二酸化炭素濃度が所定の濃度以下になった時に当該の人やペットが生命の危機に関わる可能性がある状態であると判断することを特徴とする装置である。
【発明の効果】
【０００６】  人やペットに対して非接触による方法で、生命の危機に関わる可能性がある状態であるか否かを短時間に高い精度で判断することが出来る。
【図面の簡単な説明】
【０００７】
【図１】図１は人やペットとセンサ類を示した説明図である。
【発明を実施するための形態】
【０００８】  以下、本発明の実施の形態について説明する。
（イ）人やペット（１）が存在している。
（ロ）赤外線の変化量を検知するセンサ（２）と赤外線の量を検知するセンサ（３）が置かれている。
（ハ）更に、二酸化炭素濃度を検知するセンサ（４）が置かれている。
以上の構成よりなっている。
【０００９】  赤外線の変化量を検知するセンサ（２）と赤外線の量を検知するセンサ（３）から検出した情報から人やペット（１）が存在していると判断している間経過時間を監視し、経過時間が所定の時間を超えた時に人やペット（１）の生命の危機に関わる可能性がある状態であると判断する。
【００１０】  赤外線の変化量を検知するセンサ（２）と赤外線の量を検知するセンサ（３）から検出した情報から人やペット（１）が存在していることを認識している間二酸化炭素濃度を検知するセンサー（４）から検出した二酸化炭素濃度を監視し、二酸化炭素濃度が所定の濃度以下になった時に生命の危機に関わる可能性がある状態であると判断する。
【符号の説明】
【００１１】  １  は人やペット
２  は赤外線の変化量を検知するセンサ
３  は赤外線の量を検知センサ
４  は二酸化炭素濃度を検知するセンサ
【図１】
2012073989.tif 000003
(57)【要約】      （修正有）【課題】肉眼での立体視体験できる印刷を施したシュリンクを提供する。【解決手段】透明な角型ペットボトルに飲料を充填した飲料容器外周を包むようにしてなるペットボトルシュリンクフィルム２において、該シュリンクフィルムの適宜な位置に左右の目の視差を発生させるフィルタ印刷領域１を設け、該フィルタ越しに見ることで視差により立体視を体験しうる印刷３を設ける。【選択図】図１
2012073561.tif 000002
【特許請求の範囲】
【請求項１】
透明な角型ペットボトルに飲料を充填した飲料容器外周を包むようにしてなるペットボトルシュリンクフィルムにおいて、該シュリンクフィルムの適宜な位置に左右の目の視差を発生させるフィルタ印刷領域を設け、該フィルタ越しに見ることで視差により立体視を体験しうる印刷を設けたことを特徴とする、立体視体験印刷付きシュリンク。
【発明の詳細な説明】
【技術分野】
【０００１】  本発明は、ペットボトルの外側保護フィルムに、視差を発生させるフィルタと、該フィルタ越しに見ることで立体視を体験しうる印刷を施した、立体視体験印刷付きシュリンクに関するものである。
【背景技術】
【０００２】  ペットボトルには通常、容器本体の外周面に熱収縮性のシュリンクフィルムや帯状の胴巻きフィルム等のフィルムラベルが密着又は巻着されている。このようなフィルムラベルは、一般に、その表面に図柄、模様、文字、写真等の画像が印刷されており、その印刷画像によって商品に装飾を施し、消費者の購買意欲を喚起させる機能を有している。【０００３】  一方、テレビやゲームでは人間の視差を利用した立体視体験が一般的となり、ユーザは立体視による体験に親和的であるため、従来は平面印刷での平面的な視覚体験しかできなかったペットボトルシュリンクにも立体視体験を利用することを検討した。
【先行技術文献】
【特許文献】
【０００４】
【特許文献１】実用新案登録第３０６１４８０号公報
【０００５】
【特許文献２】特開２００４−１８４５５３号公報
【発明の概要】
【発明が解決しようとする課題】
【０００６】  従来において、飲料用ペットボトルのシュリンクには客の耳目を集める視覚体験が求められていた。【０００７】  しかしながら、以上の技術において、立体視体験印刷を施した例はなかった。そこで本発明は、ペットボトル容器の形状とシュリンクという印刷媒体の特性を利用し、肉眼での立体視体験印刷を施したシュリンクを提供することを課題とする。
【課題を解決するための手段】
【０００８】  本発明の請求項１は、透明な角型ペットボトルに飲料を充填した飲料容器外周を包むようにしてなるペットボトルシュリンクフィルムにおいて、該シュリンクフィルムの適宜な位置に左右の目の視差を発生させるフィルタ印刷領域を設け、該フィルタ越しに見ることで視差により立体視を体験しうる印刷を設けたことを特徴とする、立体視体験印刷付きシュリンクである。
【発明の効果】
【０００９】  本発明の立体視体験印刷付きシュリンクは、透明な角型ペットボトルに立体視印刷を施すことで、消費者（ボトル購入者など）は、透明飲料をいれた商品であれば、飲料充填状態で立体視が体験出きるため、購入前に立体視を体験して新鮮な興味を商品に向け、不透明飲料をいれた商品であれば、飲料を飲み終えた後に立体視を体験出きるため、購入後の立体視を楽しみとする興味を商品に向けるということで、商品をより興味深くできるものであり、種々の優れた効果を奏する。【００１０】  また、本発明ではボトル型容器を使い、バーチャルな（実際そこに三次元物体はないが、あるように感じられる）フィギュアや立体グラビアなどを提供することもできる。
【発明を実施するための形態】
【００１１】  本発明の最良の実施の形態を図により説明する。
【００１２】  図１は、本発明の一実施例における立体視体験印刷付きシュリンクである。
【００１３】  図１に基づき詳細に説明する。（１）は左右の目の視差を発生させるフィルタ印刷領域、（２）はフィルタ越しにみることで視差により立体視を体験しうる印刷領域である。本発明は図１で示す通り、透明な角型ペットボトル用のシュリンクである。このシュリンクの適宜な位置に立体視のためのフィルタと画像を配置することで、肉眼による立体視を体験できる立体視体験印刷付きシュリンクである。
【００１４】  なお、本発明に使用されるペットボトルは、液体充填時の左右の目から見た際の屈折が最小となるよう、視線に対して垂直となるようなボトルを使用する。
【００１５】  （１）の視差を発生させるフィルタ印刷は、透明なシュリンクに透過赤印刷領域と透過緑を使用する。
【００１６】  三次元モデリングされたデータを元にする場合の（２）のフィルタ越しにみることで視差により立体視を体験しうる印刷は、三次元モデリングされているデータの二視点それぞれの画像を個別にレンダリングした画像それぞれを赤チャネルの画像と緑チャネルの画像に変換し、重ねて一枚の画像としたものを使用する。
【００１７】  実際の人やものを元にする場合の（２）のフィルタ越しにみることで視差により立体視を体験しうる印刷は、同一タイミングで左右異なる位置に設置したカメラで撮影した画像それぞれを赤チャネルの画像と緑チャネルの画像に変換し、重ねて一枚の画像としたものを使用する。
【図面の簡単な説明】
【図１】本発明の実施例における立体視体験印刷付きシュリンクである。
【図２】立体視体験印刷付きシュリンク貼付ペットボトルである。
【符号の説明】
【００１８】１  …ペットボトル用シュリンク
２  …視差を発生させるフィルタ印刷
３  …フィルタ越しにみることで視差により立体視を体験しうる印刷
【図１】
2012073561.tif 000003
【図２】
2012073561.tif 000004
(57)【要約】【課題】  マルチプルコントロールバルブを使用した油圧回路において応答性の優れた回路を提供する。【解決手段】  可変容量式の油圧ポンプからの圧油を、直列に接続された複数の方向制御弁を介してそれぞれ油圧アクチュエータに供給する油圧回路において、複数の前記方向制御弁の最下流に閉止弁を備え、最下流の前記方向制御弁と前記閉止弁との間にチェック弁を介してアキュムレータを設けたことを特徴とする。【選択図】  図１
2012092925.tif 000002
【特許請求の範囲】
【請求項１】
可変容量式の油圧ポンプからの圧油を、直列に接続された複数のクローズドセンタ型の方向制御弁を介してそれぞれ油圧アクチュエータに供給する油圧回路において、複数の前記方向制御弁の最下流に閉止弁を備え、最下流の前記方向制御弁と前記閉止弁との間にチェック弁を介してアキュムレータを設けたことを特徴とする油圧回路。
【請求項２】
前記アキュムレータを、ポペットタイプ電磁弁を介して、前記油圧ポンプからの吐出ラインと最上流側の前記方向制御弁との間に接続したことを特徴とする請求項１に記載の油圧回路。
【請求項３】
前記ポペットタイプ電磁弁は、前記方向制御弁を操作するための電気信号により制御されることを特徴とする請求項２記載の油圧回路。
【請求項４】
請求項１乃至３の何れか１項に記載の油圧回路を備えたことを特徴とする油圧ショベル。
【発明の詳細な説明】
【技術分野】
【０００１】
建設機械の油圧回路に対応する。特に油圧ショベルなど、応答性を要求される機械に適する。
【背景技術】
【０００２】
最近の建設機械、特に油圧ショベルの回路において、省エネシステムにするために、可変ポンプを使用したクローズドセンタの回路が使用されるようになってきている。従来のオープンセンタネガティブ回路の場合は、バルブ中立時にポンプはネガティブ制御のための油を吐出しなければならないため、この分の動力損失が大きいのに比べて、クローズドセンタの回路の場合はポンプからの吐出をゼロとするため動力損失が小さくすることができるからである。
しかしながら、クローズドセンタの回路の場合には、可変容量ポンプの傾転は、複数のコントロールバルブをスタックして構成されるマルチプルコントロールバルブの操作信号（油圧パイロット圧力や電磁比例弁の指令など）により制御されるため、ポンプの応答時間に影響してスタート時の流量吐出の遅れや、停止時のサージ圧力を発生するという問題がある。これに対して、ポンプの応答時間を向上することで、多少の改善は図れるが、応答時間には限界があり、完全な対策とはならない。
この種の油圧回路として、例えば、特許文献１において提案がされているが、同文献に開示される回路は、慣性体ブレーキ時の発生圧力をアキュムレータに蓄圧し、その圧油を主管路へ戻すだけの構成が開示されており、上記クローズドセンタ回路で発生するサージ圧の対策となる提案はされていない。
【先行技術文献】
【特許文献】
【０００３】
【特許文献１】特開２００５−００３１８３号公報
【発明の概要】
【発明が解決しようとする課題】
【０００４】
そこで、本願は、マルチプルコントロールバルブを使用したクローズドセンタ油圧回路においてサージ圧の改善と省エネ効果の優れた回路を提供することを目的とする。
【課題を解決するための手段】
【０００５】
上記課題を解決するために、本願請求項１に係る発明は、可変容量式の油圧ポンプからの圧油を、直列に接続された複数のクローズドセンタ型の方向制御弁を介してそれぞれ油圧アクチュエータに供給する油圧回路において、複数の前記方向制御弁の最下流に閉止弁を備え、最下流の前記方向制御弁と前記閉止弁との間にチェック弁を介してアキュムレータを設けたことを特徴とする。
また、請求項２に係る発明は、請求項１記載の発明において、前記アキュムレータを、ポペットタイプ電磁弁を介して、前記油圧ポンプからの吐出ラインと最上流側の前記方向制御弁との間に接続したことを特徴とする。
また、請求項３記載の発明は、請求項２記載の発明において、前記ポペットタイプ電磁弁は、前記方向制御弁を操作するための電気信号により制御されることを特徴とする。
また、本発明の油圧ショベルは請求項４に記載の通り、請求項１乃至３の何れか１項に記載の油圧回路を備えたことを特徴とする。
【発明の効果】
【０００６】
マルチプルコントロールバルブを備えた油圧回路において、バルブを中立に戻すと、可変容量式ポンプは吐出量を０にするため傾転角を小さくするが、応答遅れ分によりポンプ吐出ラインにサージ圧力が発生するが、本発明の油圧回路によれば、ポンプ吐出ラインはマルチプルコントロールバルブ中立時に、バイパスラインに接続されるため、サージ圧力は最下流に設けているチェック弁を通して、アキュムレータに蓄積されるため、過大なサージ圧力を防止することができる。
マルチプルコントロールバルブを切り換えると、ポンプは傾転角をゼロから最大方向に動かすが、同時にマルチプルコントロールバルブの操作信号で電磁弁をオンにする。アキュムレータから放出された油圧は、チェック弁を介してポンプ吐出ラインに接続しているため、全ての油圧アクチュエータのスタート時の応答遅れを改善することができる。また回収したエネルギーを、アクチュエータの作動に還元できるので、より省エネ効果が可能になる。
【図面の簡単な説明】
【０００７】
【図１】本発明の一実施の形態の油圧ショベルの油圧回路の説明図
【発明を実施するための形態】
【０００８】
次に、本発明の一実施の形態について図１を参照して説明する。
図１は、油圧ショベル用の油圧回路を示したものであり、油圧アクチュエータとしてバケット１、ブーム２、アーム３、左走行用モータ４、右走行用モータ５及び旋回用モータ６を備えており、各油圧アクチュエータ１〜３にはそれぞれクローズドセンター型の方向制御弁１１〜１６が接続されている。これらの方向制御弁１１〜１６は、可変容量式の油圧ポンプの吐出ラインＰ１、Ｐ２に対して直列に接続され、いわゆるマルチプルコントロールバルブとして構成されている。
【０００９】
図示した通り、方向制御弁１１〜１６のうちの最下流の方向制御弁１６の下流の流路には、閉止弁１７ａ、１７ｂが設けられており、最下流の方向制御弁１６と閉止弁１７ａ、１７ｂとの間には、チェック弁１８ａ、１８ｂを介してアキュムレータ１９が設けられている。
このように、蓄圧用のアキュムレータ１９はマルチプルコントロールバルブ１１〜１６の最下流に設けることで、どのセクションの方向制御弁１１〜１６に切り換えても、発生したサージ圧力がアキュムレータ１９に蓄圧されるようになる。
【００１０】
また、図示したものでは、アキュムレータ１９の吐出側には、ポペットタイプ弁２０を介して、図中Ｚで示されるポンプ吐出ラインに接続されている。このように、ポペットタイプの電磁弁を使用することにより、切換時間が短くすることが可能となる。
【００１１】
また、上記ポペットタイプの電磁弁２０の制御は、方向制御弁１１〜１６を操作するための電気信号により制御されることが好ましい。方向制御弁１１〜１６の操作とともに迅速に切換が可能となるからである。
【符号の説明】
【００１２】
１〜６  油圧アクチュエータ
１１〜１６  方向制御弁
１７ａ，１７ｂ  閉止弁
１８ａ，１８ｂ  チェック弁
１９  アキュムレータ
２０  ポペットタイプの電磁弁及びチェック弁
【図１】
2012092925.tif 000003
(57)【要約】【課題】  消臭作用を有する液体洗濯用洗剤。【解決手段】  液体洗濯用洗剤１００重量％に対し、エデト酸塩を１．０重量％以上１０．０重量％以下、かつエタノールを０、５重量％以上２０．０重量％以下の範囲にあり、システアミン及びラクトンチオールの特異臭を消臭することを特徴とする液体洗濯用洗剤。【特許請求の範囲】
【請求項１】
洗濯洗剤であって、エデト酸塩と、エタノールを含有し、タオルや衣類に吸着したシステアミンやラクトンチオールの特異臭を消臭することを特徴とする洗濯用液体洗剤組成物の提供。
【請求項２】
液体洗濯用洗剤１００重量％に対し、エデト酸塩を０．５重量％以上１０．０重量％以下、かつエタノールを０．５重量％以上２０．０重量％以下の範囲にあり、システアミン及びラクトンチオールの特異臭を消臭することを特徴とする洗濯用洗剤。
【発明の詳細な説明】
【発明が属する技術分野】
【０００１】  本発明は、システアミン又はラクトンチオールの毛髪処理剤を使用した際に使用したタオル等の繊維製品に残った特異臭を消臭する液体洗濯洗剤の組成に関する。
【背景技術】
【０００２】  システアミン又ラクトンチオールを配合した毛髪処理剤は、主に毛髪の変形を目的として、損傷毛に損傷を与えない優れた毛髪処理剤である。【０００３】  これらの毛髪処理剤を頭髪に作用させるときに使用したタオル等の繊維製品は、洗濯後も不快に感ずる特異臭がある。【０００４】  乾燥後に特異臭が消臭されていても、タオル等の繊維製品が再び水分を含むと特異臭が発生するという問題があり、解決が望まれていた。【０００５】  この不快な特異臭を抑制するため、後処理剤が提供されている。シクロデキストリンを含み、分子内部に疎水性の空間に水に不溶の物質を取り込む性質を利用した消臭剤組成物（特許文献１参照）が提供されている。
【特許文献１】特開２００１−１２３１９４
【０００６】  しかしタオル等の繊維製品が再び水分を含むと、不快な特異臭が発生するため、解決には至っていない。【０００７】また、同様にタオル等の繊維製品を過酸化水素を含む水溶液に漬け置く方法もあるが、タオルや衣類の染料を脱色するため実用的でない。
【発明が解決しようとする課題】
【０００８】  本発明は上記事情に鑑みてなされたもので、その目的は、タオル等の繊維製品の感触等の洗濯洗剤の基本的機能が損なわれることなく、不快な特異臭を消臭する優れた液体洗濯用洗剤を提供することにある。
【課題を解決するための手段】
【０００９】  前記課題を解決するために研究を行った結果、液体洗濯洗剤中に、特定量のエデト酸塩類とともに、エタノールを配合することにより前記課題が解決されることを見いだし、本発明を完成するに至った。
【発明の効果】
【００１０】  この発明により、システアミン又はラクトンチオールの毛髪処理剤を使用した際に使用したタオル等の繊維製品に残ったの不快な残臭を消臭し、タオル等の繊維製品の感触等が損なわれることなく優れたものであった。
【発明を実施するための最良の形態】
【００１１】  以下、この発明を実施するための最良の形態について説明する。【００１２】  実施例においては以下のものを使用した。なお、配合量は重量％とする。【００１３】  この実施形態にかかる液体洗濯用洗剤は、エデト酸塩を０．５重量％以上１０．０重量％以下、かつエタノールを１．０重量％以上２０．０重量％以下の範囲で含有されるものである。【００１４】  かかる洗濯用洗剤の構成例（配合例）を表１に示す。
【表１】
2012092280.tif 000002
【実施例】
【００１５】  システアミン又はラクトンチオール毛髪処理剤を頭髪に作用させるときに使用したタオルを、特定量のエデト酸塩類とともに、エタノールを配合した洗濯洗剤を一般的な全自動洗濯機を使用し洗濯する。【００１６】脱水が修了したタオルを乾燥させた後、タオルに水分を含ませ、官能テストにより臭気を評価した。【００１７】官能テストにより臭気を評価した基準は以下のとおりである。（臭気の評価基準）
○：特異臭なし
△：特異臭若干あり
×：特異臭あり【００１８】モニター（Ａ）  女性  ３６才  配合例−１  ○  配合例−２  ○
モニター（Ｂ）  女性  ６２才  配合例−１  ○  配合例−２  ○
モニター（Ｃ）  女性  ７５才  配合例−１  ○  配合例−２  ○
モニター（Ｄ）  男性  ４８才  配合例−１  ○  配合例−２  ○
モニター（Ｅ）  女性  ４３才  配合例−１  △  配合例−２  △
モニター（Ｆ）  女性  ７５才  配合例−１  ○  配合例−２  ○
モニター（Ｇ）  女性  ２９才  配合例−１  ○  配合例−２  ○
モニター（Ｈ）  男性  ６１才  配合例−１  ○  配合例−２  ○
モニター（Ｉ）  男性  ５０才  配合例−１  ○  配合例−２  ○
モニター（Ｊ）  女性  ８３才  配合例−１  ○  配合例−２  ○【００１９】本考案は、タオル等の繊維製品に残った不快な特異臭を消臭した。
(57)【要約】【課題】従来のレーザ溶接方法では、板金具とアキュムレータ間のレーザ溶接を行う際、レーザでは照射範囲が狭いことからアキュムレータと板金具の位置決めがずれた際にレーザの照射目標がずれてしまい、溶接が出来ない部分が発生するという課題があった。【解決手段】本発明は、アキュムレータ２と接する板金具３の縁部形状を溶接進行方向に対して直角方向の凹凸を有する形状とし、該凹凸の山と谷の間の範囲内でレーザビームを照射して溶接するものである。これにより、レーザビームの位置決め精度がある程度低くても、確実に溶接固定を行うことができ、溶接失敗を防ぐことができる。【選択図】図１
2012092666.tif 000002
【特許請求の範囲】
【請求項１】
密閉容器に固定された板金具に、アキュムレータをレーザ溶接により溶接固定する密閉型圧縮機の製造方法であって、前記レーザ溶接は板金具の縁部においてアキュムレータとの間で行われ、かつ、前記溶接が行われる板金具縁部はレーザ溶接進行方向に対して直角方向に凹凸を有する形状を有しており、前記レーザ溶接はこの凹凸の山と谷の間の範囲内で行われる密閉型圧縮機の製造方法。
【請求項２】
密閉容器に固定された板金具に、アキュムレータをレーザ溶接により溶接固定する密閉型圧縮機の製造方法であって、前記レーザ溶接は板金具の縁部においてアキュムレータとの間で行われ、かつ、レーザビームを溶接進行方向に対して直角方向に揺動させながら照射する密閉型圧縮機の製造方法。
【発明の詳細な説明】
【技術分野】
【０００１】
本発明は、冷凍機、空調機などに使用される密閉型圧縮機の製造方法に関するものである。
【背景技術】
【０００２】
従来この種の密閉型圧縮機はアキュムレータを板金具、取付け金具、ゴムテープ、ネジにより密閉容器に固定している。
【０００３】
また、アキュムレータを板金具に溶接することにより密閉容器に固定しているものもあり、アキュムレータと板金具の溶接方法としてレーザによる溶接が採用されている。
【先行技術文献】
【特許文献】
【０００４】
【特許文献１】特開平１１−１３２６００号公報
【発明の概要】
【発明が解決しようとする課題】
【０００５】
しかしながら、前記従来のレーザ溶接方法では、板金具とアキュムレータ間のレーザ溶接を行う際、レーザでは照射範囲が狭いことからアキュムレータと板金具の位置決めがずれた際にレーザの照射目標がずれてしまい、溶接が出来ない部分が発生するという課題があった。
【課題を解決するための手段】
【０００６】
本発明は、アキュムレータと接する板金具の縁部形状を溶接進行方向に対して直角方向の凹凸を有する形状とし、該凹凸の山と谷の間の範囲内でレーザビームを照射して溶接するものである。これにより、レーザビームの位置決め精度がある程度低くても、確実に溶接固定を行うことができ、溶接失敗を防ぐことができる。
【０００７】
または、板金具縁部に凹凸形状を形成することなく、レーザビームを溶接進行方向に対して直角方向に揺動させながら照射することで、レーザ照射目標ズレによる溶接失敗を防ぐことができる。
【発明の効果】
【０００８】
レーザ溶接のビーム位置決め精度が高くない場合でも、確実に被溶接箇所を捉えることが出来、レーザ照射目標ズレによる溶接失敗を防止できる。
【図面の簡単な説明】
【０００９】
【図１】本発明の第１の実施の形態における密閉型圧縮機を示す図
【図２】本発明の第２の実施の形態における密閉型圧縮機を示す図
【発明を実施するための形態】
【００１０】
第１の発明は、板金具形状を、凹凸を持たせた形状にすることによりレーザの照射目標範囲を広く設定することが出来、レーザ目標がずれたとしても安定したレーザ溶接を行うことが出来る。
【００１１】
第２の発明は、レーザビームを溶接進行方向に対して直角方向に揺動させながら照射することで、レーザの照射範囲を広く設定することが出来、安定したレーザ溶接を行うこと
が出来る。
【００１２】
以下、本発明の実施の形態について、図面を参照しながら説明する。なお、以下に記載する実施の形態により本発明が限定されるものではない。
【００１３】
（実施の形態１）
図１は、本発明の第１の実施の形態における密閉型圧縮機を示すものである。図１において、密閉容器１に板金具３、アキュムレータ２がレーザ溶接部４で接合される。板金具３の先端縁部を、溶接進行方向に対して直角方向の凹凸をもたせた形状にすることにより、レーザを照射した際の照射目標範囲を広く設定することが出来、レーザ目標がずれたとしても安定したレーザ溶接を行うことが出来る。
【００１４】
（実施の形態２）
図２は、本発明の第２の実施の形態における密閉型圧縮機を示すものである。図２において、板金具３１の先端縁部形状はストレートのままであり、レーザビームを溶接進行方向に対して直角方向に揺動させながら照射することによりレーザ溶接部４１をジグザグ形状とさせ、レーザの照射範囲を広く設定することが出来、安定したレーザ溶接を行うことが出来る。
【産業上の利用可能性】
【００１５】
以上のように、本発明における密閉型圧縮機は、溶接を安定させ信頼性の高い密閉型圧縮機を提供することができる。
【符号の説明】
【００１６】
１    密閉容器
２    アキュムレータ
３    板金具
３１  板金具
４    レーザ溶接部
４１  レーザ溶接部
【図１】
2012092666.tif 000003
【図２】
2012092666.tif 000004
(57)【要約】【課題】既存の蓋及び鋼管柱の腐食している既存のビス止め孔を利用することなく、安定器取付用の開口部の両側に新たにビス孔を開けるだけで取り付けることができる道路照明鋼管柱用開口部保護箱の提供。【解決手段】鋼管柱ａにビス止めされて、鋼管柱ａの開口部を覆う箱体２と、箱体２にビス止めされて、箱体２の前面を覆う蓋１とを備え、箱体２は、上面及び後面が開口し、上面周囲に水切りツバ５が設けられ、前面に箱体開口部が形成され、下面に鋼管柱ａの外周面に嵌合する切欠き部８が形成されている。【選択図】図７
2012092645.tif 000002
【特許請求の範囲】
【請求項１】
鋼管柱にビス止めされて、該鋼管柱の開口部を覆う箱体と、前記箱体にビス止めされて、該箱体の前面を覆う蓋とを備え、前記箱体は、上面及び後面が開口し、上面周囲に水切りツバが設けられ、前面に箱体開口部が形成され、下面に前記鋼管柱の外周面に嵌合する切欠き部が形成されていることを特徴とする道路照明鋼管柱用開口部保護箱。
【発明の詳細な説明】
【技術分野】
【０００１】
本発明は、安定器取り付けのために道路照明鋼管柱に形成された開口部の腐食を補修して保護する道路照明鋼管柱用開口部保護箱に関する。
【背景技術】
【０００２】
道路照明鋼管柱内の下部には、安定器、開閉スイッチ等が設置されており、図１及び図２に示すように、それらを取り換えるために鋼管柱ａに開口部ｂが設けられる。そして、鋼管柱ａには、開口部ｂを囲むように、正面に開口を有する保護用の箱ｃが設置され、箱ｃの上面に水切り鉄板ｅが取り付けられている。また、箱ｃの正面には蓋ｄがビス止めされている。
しかし、経年劣化で、蓋ｄ及び蓋ｄを取り付けるビスが錆びついているものが多く見受けられる。さらに腐食が進むとビス止め孔も腐食してしまい、ビスが止められなくなったり、開口部ｂの周囲が欠け落ちたりする。現状では、新しい蓋とビスに交換することもできないこのような状態の道路照明鋼管柱が多数ある。
【０００３】
腐食した開口部をそのまま放置すると雨水が内部に侵入し、内部の電気部品が漏電して照明が点かなくなる虞がある。腐食がもっと進行すると、鋼管柱の強度が弱くなると共に、道路の美観にも悪影響があり、鋼管柱全体を取り換えるしかなくなる。鋼管柱全体を取り換えるには、費用が掛かり、資源の浪費にもつながる。
また、従来、照明器具本体の下方に延びる点検用スイッチや安定器を箱体に収納し、この箱体をベルトによって電柱の外周に取り付ける技術が知られている（特許文献１及び特許文献２参照）。
【先行技術文献】
【特許文献】
【０００４】
【特許文献１】特開平８-１６２２７８号公報
【特許文献２】特開２０００-７６９１０号公報
【発明の概要】
【発明が解決しようとする課題】
【０００５】
本発明が解決しようとする課題は、既存の蓋及び腐食している既存のビス止め孔を利用することなく、安定器取付用の開口部の両側に新たにビス孔を開けるだけで取り付けることができる道路照明鋼管柱用開口部保護箱を提供することにある。
【課題を解決するための手段】
【０００６】
本発明の道路照明鋼管柱用開口部保護箱は、鋼管柱にビス止めされて、該鋼管柱の開口部を覆う箱体と、前記箱体にビス止めされて、該箱体の前面を覆う蓋とを備え、前記箱体は、上面及び後面が開口し、上面周囲に水切りツバが設けられ、前面に箱体開口部が形成され、下面に前記鋼管柱の外周面に嵌合する切欠き部が形成されている。
【発明の効果】
【０００７】
本発明によれば、腐食した既存の蓋が取替不能な鋼管柱の開口部を、腐食している既存のビス止め孔を利用せずに、溶接作業を行なうことなく簡単な現場作業で補修することができ、開口部からの雨漏りを解消し、漏電等による照明灯の不具合も解決できる。
また、箱体が開口部周囲の腐食部分全体をカバーするので、腐食の進行を食い止めて、鋼管柱の強度を保つことができ、美観も向上する。
この結果、開口部だけの補修で鋼管柱を長期に使用できるようになり、鋼管柱全体の交換に比べて、コスト、資源消費量、及びＣＯ2排出量を削減することが可能となる。
【図面の簡単な説明】
【０００８】
【図１】従来の道路照明鋼管柱の側面図。
【図２】従来の道路照明鋼管柱の要部分解斜視図。
【図３】本発明の実施例に係る蓋の斜視図。
【図４】本発明の実施例に係る箱体の斜視図。
【図５】本発明の実施例を示す道路照明鋼管柱用開口部保護箱の斜視図。
【図６】本発明の実施例を示す道路照明鋼管柱用開口部保護箱の設置途中における斜視図。
【図７】本発明の実施例を示す道路照明鋼管柱用開口部保護箱の設置状態における斜視図。
【発明を実施するための形態】
【０００９】
図５に示すように、本発明の道路照明鋼管柱用開口部保護箱は、既存の鋼管柱ａの開口部ｂを覆う寸法の箱体２と、箱体２の前面を覆う蓋１とを備える。箱体２及び蓋１は、鋼管柱ａと同様の鋼材を素材とする。
箱体２は、上面及び後面が開口しており、ほかの４面（前面、左右側面及び下面）を溶接して形成される。
図４に示すように、箱体２の上面周囲には、幅１０ｍｍ程度の水切りツバ５が溶接されている。箱体２の前面には、内部操作ができるように大きめの箱体開口部６が形成され、前面の上下部には、直径６ｍｍの蓋止め用ビス孔７がそれぞれ形成される。
また、箱体２の下面には、鋼管柱ａの外周面に嵌合するための切欠き部８が鋼管柱ａのサイズに合わせて形成される。
箱体２の左右側面には、鋼管柱ａに取り付けるための直径６ｍｍの箱体止めビス孔９が３個ずつ形成されている。
【００１０】
蓋１は、箱体２の前面に合う寸法の長方形に形成され、図３に示すように、両側縁を後方へ１５ｍｍ程度折り曲げてある。
また、蓋１の上下部には、箱体２の蓋止め用ビス孔７と合致するようビス孔１０が形成されている。
【００１１】
道路照明鋼管柱用開口部保護箱を取り付けるには、鋼管柱ａから既存の蓋ｄを取外して、錆をこすり落とし、開口部ｂ及びその内部を掃除してから、開口部ｂの左右両側に箱体２を取り付けるための直径６ｍｍの取付け用ビス孔を、箱体２の箱体止めビス孔９に合わせて３個ずつあける。
次いで、図６に示すように、箱体２を開口部ｂに合わせてはめこみ、箱体２の水切りツバ５を既存の水切り鉄板ｅと突き合わせ、箱体２の箱体止めビス孔９及び新たな取付け用ビス孔へ通した６本の箱体止めビス３で箱体２を取り付ける。
最後に、図７に示すように、蓋１を箱体２の前面に被せ、蓋１のビス孔１０及び箱体２の蓋止め用ビス孔７に通した２本の蓋止めビス４で蓋１を箱体２に取り付ける。
【符号の説明】
【００１２】
１  蓋
２  箱体
３  箱体止めビス
４  蓋止めビス
５  水切りツバ
６  箱体開口部
７  蓋止め用ビス孔
８  切欠き部
９  箱体止めビス孔
１０  ビス孔
ａ  鋼管柱
ｂ  開口部
ｃ  箱
ｄ  既存の蓋
ｅ  水切り鉄板
【図１】
2012092645.tif 000003
【図２】
2012092645.tif 000004
【図３】
2012092645.tif 000005
【図４】
2012092645.tif 000006
【図５】
2012092645.tif 000007
【図６】
2012092645.tif 000008
【図７】
2012092645.tif 000009